(57)【要約】  場所データ（１１４，１１６）を示して、携帯電話ディスプレイ１０４を介して携帯電話の現在場所を携帯電話ユーザに表示する方法である。場所情報はアイコンで表示され、定期的に更新される。場所情報を表示するため、携帯電話はその現在位置を決定する（３１２）。次に、携帯電話は携帯電話の現在位置から所定の距離（３１４）以内の場所を調べる（３１６）。次に携帯電話は、携帯電話の現在位置に最も近い場所／場所アイコンの対を選択する（３１８，３２０）。次に、この場所アイコンを携帯電話ディスプレイ上に表示する（３２２）。次に、携帯電話は携帯電話の現在位置の再決定を行う（３１２）前に所定の期間待ち（３２８）、そして探索／表示のプロセスを繰り返す。所定の待ち期間と現在位置からの所定の距離とは共にユーザが定義するパラメータであって、ユーザはこれらを随意に変更することができる。
2007514386.tif 000002
【特許請求の範囲】
【請求項１】
場所データ（１１４）を示して携帯電話の現在の概略の場所を表示する方法であって、
前記携帯電話の現在位置を決定し（３１２）、
前記携帯電話の現在位置から所定の距離（３１４）以内の場所を調べ（３１６）、
前記携帯電話の現在位置から前記所定の距離以内の場所を表す場所アイコンを表示する（３２２）、
ことを含む場所データを示す方法。
【請求項２】
前記携帯電話の現在位置を再度決定する（３１２）前に所定の期間待つ（３２８）ことを更に含む、請求項１記載の場所データを示す方法。
【請求項３】
前記所定の期間を入力するようユーザに指示することを更に含む、請求項２記載の場所データを示す方法。
【請求項４】
前記携帯電話の現在位置からの前記所定の距離を入力するようユーザに指示することを更に含む、請求項３記載の場所データを示す方法。
【請求項５】
前記携帯電話の現在位置と前記場所アイコン１１４の基礎の位置との間の距離を決定することを更に含む、請求項４記載の場所データを示す方法。
【請求項６】
前記携帯電話の現在位置と前記場所アイコン（１１４）の基礎の位置との間の距離に基づいて前記場所アイコン（１１４）の見え方を変えて、場所アイコン（１１４）が、前記携帯電話の現在位置が場所アイコン（１１４）の基礎の位置に近い方がより暗く見え、前記携帯電話の現在位置が場所アイコン（１１４）の基礎の位置から遠い方がより明るく見えるようにすることを更に含む、請求項５記載の場所データを示す方法。
【請求項７】
前記携帯電話の現在位置と前記場所アイコン（１１４）の基礎の位置との間の距離に基づいて前記場所アイコン（１１４）の見え方を変えて、場所アイコン（１１４）が、前記携帯電話の現在位置が場所アイコン（１１４）の基礎の位置に近いときは第１の色に見え、前記携帯電話の現在位置が場所アイコン（１１４）の基礎の位置から遠いときは第２の色に見えるようにすることを更に含む、請求項５記載の場所データを示す方法。
【請求項８】
距離および方向の測定値を含む場所アイコン（１１４）に関する１次データ（１１６）を表示し、前記１次データは場所アイコン（１１４）と共に表示されることを更に含む、請求項１記載の場所データを示す方法。
【請求項９】
前記携帯電話上に表示される場所アイコン（１１４）に関する２次データにアクセスして表示し、場所アイコン（１１４）に関する前記２次データは座標データを含み、また場所アイコン（１１４）を選択することによりアクセスされることを更に含む、請求項８記載の場所データを示す方法。
【請求項１０】
前記携帯電話の現在位置を決定する（３１２）のに前記携帯電話内の全地球測位システム（ＧＰＳ）システムを用いる、請求項１記載の場所データを示す方法。
【請求項１１】
前記携帯電話の現在位置を決定する（３１２）のに前記携帯電話内の高度観測時間差（Ｅ−ＯＴＤ）システムを用いる、請求項１記載の場所データを示す方法。
【請求項１２】
前記携帯電話の現在位置を決定する（３１２）のに前記携帯電話内の到着時刻（ＴＯＡ）システムを用いる、請求項１記載の場所データを示す方法。
【請求項１３】
前記携帯電話の現在位置を決定する（３１２）のに前記携帯電話内のセル・オブ・オリジン（ＣＯＯ）システムを用いる、請求項１記載の場所データを示す方法。
【請求項１４】
他の携帯電話ユーザがアクセスできるように場所アイコン（１１４）をネットワーク・サーバに提供することを更に含む、請求項１記載の場所データを示す方法。
【請求項１５】
場所アイコンと前記場所アイコンの基礎の座標とは前記ネットワーク上に常駐する外部場所アイコン・データベース内に記憶され、前記外部場所アイコン・データベースは前記携帯電話からアクセス可能であって、商業的に供給される場所アイコンと場所アイコン座標（３２０）とを含む、請求項１記載の場所データを示す方法。
【請求項１６】
場所アイコンと前記場所アイコンの基礎の座標とが前記携帯電話内に常駐する内部場所アイコン・データベース内に記憶され、前記内部場所アイコン・データベースはユーザが定義する場所アイコンと場所アイコン座標（３１８）とを含む、請求項１記載の場所データを示す方法。
【発明の詳細な説明】
【背景技術】
【０００１】
今日の携帯電話はユーザの経験を強化するよう設計された高度のハードウエアおよびソフトウエアを含む。携帯電話に組み込まれる最新の機能の１つは場所決め技術である。移動体位置決め技術には、全地球測位システム（ＧＰＳ）や、場所に依存するサービス用のセル・オブ・オリジン（ＣＯＯ）、高度観測時間差（Ｅｎｈａｎｃｅｄ  Ｏｂｓｅｒｖｅｄ  Ｔｉｍｅ  Ｄｉｆｆｅｒｅｎｔｉａｌ：  Ｅ−ＯＴＤ）、到着時刻（Ｔｉｍｅ  Ｏｆ  Ａｒｒｉｖａｌ：  ＴＯＡ）などの非ＧＰＳ位置決め技術などがあり、これによりユーザは自分の現在の場所を決定することができる。移動体位置決め情報は種々のアプリケーションに、特に９−１−１サービスに非常に有用である。
【０００２】
また移動体位置決め技術は、現在位置情報を表示することによりユーザの携帯電話経験を高めるのに用いることができる。またこの情報は、例えば、ワイヤレス・ビレッジ（ｗｉｒｅｌｅｓｓ  ｖｉｌｌａｇｅ）グループ内の他の人と共用してよい。ワイヤレス・ビレッジは、グループとしてまとまって、グループ内の携帯電話に関する状態データを共用または交換することに同意した個人の緩い結合である。ワイヤレス・ビレッジは、登録した全てのグループ・メンバがアクセスできるようにキャリア・ネットワークで集中化される。
【発明の開示】
【０００３】
本発明は、或る携帯電話の現在の概略の場所を表す場所データを、携帯電話ディスプレイを介して携帯電話ユーザに示す方法を記述する。場所情報はアイコンで表示され、定期的に更新される。更に、場所データは必要であれば他の携帯電話またはコンピュータ・ユーザと共用することができる。
場所情報を表示するには、携帯電話はその現在位置を決定できなければならない。これは、携帯電話内で全地球測位システム（ＧＰＳ）、高度観測時間差（Ｅ−ＯＴＤ）、到着時刻（ＴＯＡ）、セル・オブ・オリジン（ＣＯＯ）システムを含む任意の方法で達成することができるが、これらに限定されるものではない。
【０００４】
現在位置が決定されると、携帯電話はその携帯電話の現在位置から所定の距離以内の場所を調べる。携帯電話は内部および外部のデータベースを探索する。外部データベースは携帯電話ネットワーク上に常駐し、場所アイコンと場所アイコンの基礎的な座標とを含む。携帯電話はこのデータベースに無線データ接続を介してアクセスすることができる。内部データベースは携帯電話内に常駐し、ユーザが定義する場所アイコンと場所アイコン座標とを含む。
【０００５】
場所の探索が終わると、携帯電話はその結果を比較して、その携帯電話の現在位置に最も近い場所／場所アイコンの対を選択する。次に、この場所アイコンを携帯電話ディスプレイ上に表示する。
次に、携帯電話はその携帯電話の現在位置の再決定を行う前に所定の期間待ち、そして探索／表示のプロセスを繰り返す。所定の待ち期間と現在位置からの所定の距離とは共にユーザが定義するパラメータであって、ユーザはこれらを随意に変更することができる。
【０００６】
追加の機能として、表示されたアイコンを操作して現在位置までの近さを示すことができる。場所の見え方は、携帯電話の現在位置が場所アイコンの下に位置する場所に近い方がより暗く見え、携帯電話の現在位置が場所アイコンの下に位置する場所から遠い方がより明るく見えるようにしてよい。携帯電話がカラー・ディスプレイを備えている場合は、場所アイコンの見え方は、携帯電話の現在位置が場所アイコンの下に位置する場所に近い場合には第１の色に見え、携帯電話の現在位置が場所アイコンの下に位置する場所から遠い場合には第２の色に見えるようにしてよい。
【０００７】
文字データをアイコンに添えることにより、場所アイコンに関するユーザの現在位置についてより多くの情報を与えることができる。距離や方向の測定値を含む場所アイコンに関する１次データを、場所アイコンと共に表示することができる。更に、実際の座標データや地図などを含む場所アイコンに関係する２次データを携帯電話上に表示することができる。２次データは場所アイコンを選択することによりアクセスすることができる。これは１次表示データを２次表示データで置き換えることになる。ユーザは２次データを見た後で、１次表示データに容易に切り替えることができる。
【０００８】
別の機能は、例えば、ワイヤレス・ビレッジを想定したような場合において、ユーザがグループの一員である他のユーザとこの場所状態を共用できることである。このために、携帯電話は現在位置と場所アイコン・データとをネットワーク・サーバにアップロードして、他の携帯電話ユーザがアクセスできるようにする。携帯電話ネットワーク・サーバがインターネットに接続していれば、コンピュータ・ユーザも場所データにアクセスすることができる。
【実施例】
【０００９】
図１は場所アイコンを示す代表的な携帯電話の前面である。携帯電話１０２は前面が示されている。表示領域１０４は、携帯電話１０２の種々の特性および機能に関する状態情報を携帯電話ユーザに与える。表示領域１０４の左上隅に、音声信号およびデータ信号用の二重信号強度表示部１０６を示す。信号強度表示部１０６は携帯電話１０２と最も近くの基地局との通信の良さをユーザに示す。表示領域１０４の右上隅は電池強度表示部１０８で、携帯電話の電池の残留電荷をユーザに示す。表示領域１０４の左下隅はディジタル・クロック１１０で、現在の時刻を示す。表示領域１０４の右下隅は今日の日付１１２を示す。
【００１０】
表示領域１０４の中央部は場所アイコン１１４および場所アイコン記述１１６を示す。この例では場所アイコン１１４は飛行機で、これは空港を示す。場所アイコン記述１１６は特定の空港（この例ではＲＤＵ空港）を示す。
例示の目的で、種々の他の場所アイコンも示した。これらのアイコンおよび対応する場所記述は携帯電話内またはネットワーク上に記憶される。図１に示すアイコンは全てを含んだリストではない。別のアイコンを携帯電話またはネットワークに追加してよい。ここに示すアイコンは本発明の記述を助けるための単なる代表的な例である。
【００１１】
図２は、携帯電話と携帯電話キャリア・ネットワークとの間の通信リンクを示すブロック図である。本発明の機能の１つは携帯電話場所データを「ワイヤレス・ビレッジ」配置内のグループの他のメンバと共用する能力である。ワイヤレス・ビレッジ・グループはＰＣバディー・リスト(ｂｕｄｄｙ ｌｉｓｔ)と同様である。携帯電話１０２は基地局２１０と音声およびデータの接続を確立することができる。基地局２１０は、ワイヤレス・ビレッジ・サーバ２１２を含むキャリア・ネットワークとリンクする。ワイヤレス・ビレッジ・サーバ２１２は携帯電話ユーザをグループにまとめてグループの活動を管理するデータを含む。更に、場所アイコンおよび場所アイコン記述２１４のデータベースはワイヤレス・ビレッジ・サーバ２１２からアクセスすることができる。データベース２１４は地理的な座標システムとリンクする場所アイコンおよび対応する記述を含む。各アイコンは自分の特有の地理的な場所を有する。
【００１２】
更に、ワイヤレス・ビレッジ・サーバ２１２はインターネット２１６とリンクして、携帯電話だけでなくインターネットを介したアクセスをグループに提供する。ログイン手続きにより安全なアクセスを提供するので、グループ・メンバだけが他のグループ・メンバの場所データにアクセスすることができる。また、グループ・メンバは場所アイコンの機能を使用するまたは使用を見合わせる（ｏｐｔ  ｉｎ  ｏｒ  ｏｕｔ）ことを随意に選ぶことができる。使用するまたは使用を見合わせる機能は携帯電話ユーザが選択できる各携帯電話内の機能である。
【００１３】
図３は場所アイコンを携帯電話上に表示する方法を記述する流れ図である。携帯電話の電源を入れると、ネットワーク・インフラストラクチャ内でワイヤレス・ビレッジ・サーバを介してリンクするグループの他のメンバがその場所データにアクセスできるようにしてよいかどうか、ユーザは携帯電話から指示される。これが使用する／使用を見合わせる機能である（３１０）。以後、ユーザは随意に使用しまたは使用を見合わせてもよい。この機能は、他の人がそのユーザの場所アイコン・データを見てよいかだけ影響するように設定することができる。希望する場合は、ユーザはグループの他のメンバとデータを共用せずに、常に自分の場所を見るようにしてよい。
【００１４】
使用するか使用を見合わせるかを選択した後、携帯電話は位置チェックを行う（３１２）。すなわち、携帯電話はその内部の位置決定システムにアクセスし、これを用いて携帯電話の現在場所を表す一組の座標を得る。本発明では、携帯電話は、全地球測位システム（ＧＰＳ）などの１つ以上の位置決めシステムや、場所に依存するサービス用のセル・オブ・オリジン（ＣＯＯ）、高度観測時間差（Ｅ−ＯＴＤ）、到着時刻（ＴＯＡ）などの非ＧＰＳ場所技術を備えてよい。
【００１５】
場所座標データは一時的に記憶される。場所データに大まかな較正プロセスを行う。これには、ユーザは有効範囲を選択する（３１４）必要がある。有効範囲は現在場所からの距離測定値である。この距離は場所データを制約するための電話からの範囲を表す。言い換えると、選択された有効範囲より遠い場所を表すアイコンは表示されない。有効範囲の設定はユーザが選択可能なデフォールト値（例えば１５０メートル（５００フィート））を有する。ユーザは有効範囲を８００メートル（１／２マイル）、１６００メートル（１マイル）、または望ましい任意の他の距離に変更してもよい。有効範囲を管理することにより、ユーザは現在の環境に適応することができる。例えば、ユーザが田園地域にいる場合は、有効範囲を１６０００メートル（１０マイル）に設定してもその範囲内に候補となる場所は多すぎることはないであろう。逆に、ユーザが都市地域にいる場合は、有効範囲を数百メートル（数百フィート）にして、範囲内に場所が多すぎることがないようにしてよい。
【００１６】
有効範囲を選択する（３１４）と、携帯電話は有効範囲内の最も近い場所を探索する。携帯電話は内部データベース（３１８）および外部データベース（３２０）を調べてかかる場所を見つける。内部データベース（３１８）は、ユーザの家、オフィス、友人の家、親戚の家などのより個人的な場所を表す。外部データベース３２０はネットワーク上に常駐し、空港、陸上標識、街角、教会、学校、病院などの商業的場所を含む。
【００１７】
探索により、有効範囲内で見つかる全ての場所が得られる。各場所を比較して、どれが携帯電話の現在の場所に最も近いかを判定し、最も近いものから最も遠いものまで、位置アイコンのリストを生成する。デフォールトでは、最も近い場所とその対応するアイコンを携帯電話のディスプレイ上に表示および／または更新する（３２２）。しかし、有効範囲内の異なる場所／アイコンをユーザが希望する場合は、かかる場所／アイコンを選択してよい。次に、ユーザは携帯電話に、現在の有効範囲内にいなくなるまでこの場所／アイコンの表示を続けるよう命じてよい。
【００１８】
有効範囲内に場所が見つからない場合は、携帯電話はユーザに知らせて、新しい有効範囲を示すよう指示してよい。場所アイコンは場所の簡単な記述（「ＲＤＵ空港」または「オルバニ小学校」など）も含んでよい。更に、この簡単な記述は「１．５ｍ  ＮＷ」（これは、場所アイコンがその携帯電話の現在の場所の北西１．５マイルにあることを示す）などの距離および方向データを含んでよい。
【００１９】
アイコンが表す場所からその電話までの現在の距離についての視覚的な手掛かり（ｖｉｓｕａｌ  ｃｕｅ）も表示してよい。例えば、アイコンに陰をつけて、実際の場所がアイコンの場所座標に近いときは暗く見えるようにしてよい。逆に、実際の場所がアイコンの場所座標から遠いことを示すのにアイコンの色をいくぶんぼやかしてもよい。その陰はユーザが選択した有効範囲に比例してもよい。有効範囲が１６００メートル（１マイル）の場合、現在場所がアイコン場所座標から４００メートル（１／４マイル）以内のときはアイコンの陰を暗くしてよい。他方で、現在場所がアイコン場所座標から１２００−１６００メートル（３／４−１マイル）のときはアイコンの陰を明るくしてよい。携帯電話がカラー表示機能を有する場合は、アイコン場所座標への近さに基づいてアイコンの色を変えてよい。赤いアイコンは近いことを表し、青いアイコンは携帯電話が有効範囲の外側限界に近いことを示してよい。
【００２０】
次のステップは使用するか使用を見合わせるかの選択をチェックすることである（３２４）。ユーザが「使用する」を選んだ場合はワイヤレス・ビレッジ・サーバがユーザの場所アイコンおよびデータで更新される（３２６）ので、他のグループ・メンバはユーザが現在どこにいるかを判定することができる。ユーザが「使用を見合わせる」を選んだ場合はユーザの場所データはワイヤレス・ビレッジ・サーバに提供されない。
【００２１】
このプロセスの最後のステップは、再び現在位置をチェックする（３１２）前に或る期間待つ（３２８）ことである。この期間はユーザがデフォールトで設定してもよいし、ユーザが選択してもよい。移動中は、ユーザは自分が目的地にどれだけ近いかを知るために自分の場所をより頻繁に更新したいと思うであろう。待ち期間が終わると、制御は「位置をチェックする」プロセス（３１２）に戻る。
【００２２】
アイコンが携帯電話上に表示されているときは、ユーザはいつでもアイコンを選択または強調表示して、その下に位置する場所に関する追加の情報を受信することができる。例えば、アイコンが学校の場合は、ユーザがこのアイコンを選択すると、正確な座標、ドライブの方向、またはその場所への地図などの情報を含む新しいスクリーンが現れる。この情報はそのデータベース内のアイコンに関連する。
【００２３】
本発明のコンピュータ・プログラム要素はハードウエアで、および／またはソフトウエア（ファームウエア、常駐ソフトウエア、マイクロ・コードなど）で実現してよい。本発明はコンピュータ・プログラム製品の形をとってよく、これは命令実行システムによりまたはこれに関して用いるために媒体内に実現される、コンピュータが読み取り可能なプログラム命令または「コード」または「コンピュータ・プログラム」を有するコンピュータが使用可能なまたはコンピュータが読み取り可能な記憶媒体により実現してよい。この文書の文脈では、コンピュータが使用可能なまたはコンピュータが読み取り可能な記憶媒体は、命令実行システム、機器、または装置によりまたはこれに関して用いるためのプログラムを、含み、記憶し、通信し、伝播し、または転送することができる任意の媒体でよい。コンピュータが使用可能なまたはコンピュータが読み取り可能な記憶媒体は、例えば、電子的、磁気的、光学的、電磁的、赤外線、半導体のシステム、機器、装置、またはインターネットなどの伝播媒体でよいが、これらに限定されるものではない。コンピュータが使用可能なまたはコンピュータが読み取り可能な媒体は、プログラムが印刷されている紙または他の適当な媒体でもよい。なぜなら、プログラムは、例えば、紙または他の媒体を光でスキャニングすることにより電子的に捕捉され、次に適当な方法でコンパイルされ、解釈され、またはその他の処理をされるからである。ここに記述したコンピュータ・プログラム製品および任意のソフトウエアおよびハードウエアは、例示の実施の形態において本発明の機能を実行するための種々の手段を形成する。
【００２４】
本発明の特定の実施の形態について開示した。当業者が容易に認識するように、本発明は他の環境で他のアプリケーションを有してよい。実際のところ、多くの実施の形態および実現が可能である。クレームは本発明の範囲を上に記述した特定の実施の形態に限定するものではない。更に、全ての「のための手段」という用語は要素またはクレームを手段プラス機能（ｍｅａｎｓ−ｐｌｕｓ−ｆｕｎｃｔｉｏｎ）と読むことを意味し、また「のための手段」という用語を特に用いない要素は全て、クレームが「手段」という語を他の意味で含んでも、手段プラス機能要素とは読まないものとする。
【図面の簡単な説明】
【００２５】
【図１】場所アイコンを示す代表的な携帯電話の前面である。
【図２】携帯電話と携帯電話キャリア・ネットワークとの間の通信リンクを示すブロック図である。
【図３】場所アイコンを携帯電話上に表示する方法を記述する流れ図である。
【図１】
2007514386.tif 000003
【図２】
2007514386.tif 000004
【図３】
2007514386.tif 000005
【手続補正書】
【提出日】平成17年4月18日(2005.4.18)
【手続補正１】
【補正対象書類名】特許請求の範囲
【補正対象項目名】全文
【補正方法】変更
【補正の内容】
【特許請求の範囲】
【請求項１】
アイコニックな場所データ（１１４）を示して携帯電話の現在の概略の場所を表示する方法であって、前記携帯電話内で、
前記携帯電話の現在の地理的な位置を決定し（３１２）、
前記携帯電話の現在位置から所定の距離（３１４）以内の特定の場所を調べ（３１６）、
関連する携帯電話ディスプレイ上に、前記携帯電話の現在位置から前記所定の距離以内の特定の場所を表すアイコンを表示する（３２２）、
ことを含む場所データを示す方法。
【請求項２】
前記携帯電話の現在位置を再度決定する（３１２）前に所定の期間待つ（３２８）ことを更に含む、請求項１記載の場所データを示す方法。
【請求項３】
前記所定の期間を入力するようユーザに指示することを更に含む、請求項２記載の場所データを示す方法。
【請求項４】
前記携帯電話の現在位置からの前記所定の距離を入力するようユーザに指示することを更に含む、請求項３記載の場所データを示す方法。
【請求項５】
前記携帯電話の現在位置と前記アイコン（１１４）の基礎の位置との間の距離を決定することを更に含む、請求項４記載の場所データを示す方法。
【請求項６】
前記携帯電話の現在位置と前記アイコン（１１４）の基礎の位置との間の距離に基づいて前記アイコン（１１４）の見え方を変えて、アイコン（１１４）が、前記携帯電話の現在位置がアイコン（１１４）の基礎の位置に近い方がより暗く見え、前記携帯電話の現在位置がアイコン（１１４）の基礎の位置から遠い方がより明るく見えるようにすることを更に含む、請求項５記載の場所データを示す方法。
【請求項７】
前記携帯電話の現在位置と前記アイコン（１１４）の基礎の位置との間の距離に基づいて前記アイコン（１１４）の見え方を変えて、アイコン（１１４）が、前記携帯電話の現在位置がアイコン（１１４）の基礎の位置に近いときは第１の色に見え、前記携帯電話の現在位置がアイコン（１１４）の基礎の位置から遠いときは第２の色に見えるようにすることを更に含む、請求項５記載の場所データを示す方法。
【請求項８】
距離および方向の測定値を含むアイコン（１１４）に関する１次データ（１１６）を表示し、前記１次データはアイコン（１１４）と共に表示されることを更に含む、請求項１記載の場所データを示す方法。
【請求項９】
前記携帯電話上に表示されるアイコン（１１４）に関する２次データにアクセスして表示し、アイコン（１１４）に関する前記２次データは座標データを含み、またアイコン（１１４）を選択することによりアクセスされることを更に含む、請求項８記載の場所データを示す方法。
【請求項１０】
前記携帯電話の現在位置を決定する（３１２）のに前記携帯電話内の全地球測位システム（ＧＰＳ）システムを用いる、請求項１記載の場所データを示す方法。
【請求項１１】
前記携帯電話の現在位置を決定する（３１２）のに前記携帯電話内の高度観測時間差（Ｅ−ＯＴＤ）システムを用いる、請求項１記載の場所データを示す方法。
【請求項１２】
前記携帯電話の現在位置を決定する（３１２）のに前記携帯電話内の到着時刻（ＴＯＡ）システムを用いる、請求項１記載の場所データを示す方法。
【請求項１３】
前記携帯電話の現在位置を決定する（３１２）のに前記携帯電話内のセル・オブ・オリジン（ＣＯＯ）システムを用いる、請求項１記載の場所データを示す方法。
【請求項１４】
他の携帯電話ユーザがアクセスできるようにアイコン（１１４）をネットワーク・サーバに提供することを更に含む、請求項１記載の場所データを示す方法。
【請求項１５】
アイコン（１１４）と前記アイコンの基礎の座標とは前記ネットワーク上に常駐する外部アイコン・データベース内に記憶され、前記外部アイコン・データベースは前記携帯電話からアクセス可能であって、商業的に供給されるアイコンとアイコン座標（３２０）とを含む、請求項１記載の場所データを示す方法。
【請求項１６】
アイコンと前記アイコンの基礎の座標とが前記携帯電話内に常駐する内部アイコン・データベース内に記憶され、前記内部アイコン・データベースはユーザが定義するアイコンとアイコン座標（３１８）とを含む、請求項１記載の場所データを示す方法。
【国際調査報告】
2007514386.tif 000006
2007514386.tif 000007
2007514386.tif 000008